(57)【要約】【課題】簡易な構成で、相手方コネクタとの嵌合時における変形を防止して電気的な接続信頼性を向上させるとともに、薄型化又は小型化を良好に図ることを可能とする。【解決手段】絶縁ハウジング２１及び導電性シェル２４の一方の開口端縁部２１ｂに嵌合方向に突出する係合突起部２１ｃを設け、他方の開口端縁部２４ｂに前記係合突起部２１ｂを嵌合方向に挿通させる係止穴部２４ｃを設けて、係止穴部２４ｃ内に係合突起部２１ｃを挿通させるという簡易な作業により絶縁ハウジング２１と導電性シェル２４とを嵌合方向と直交する方向に固定し、同方向における剛性を大幅に高めるとともに、絶縁ハウジング２１と導電性シェル２４との固定機構を絶縁ハウジング２１の内部側に突出させないようにして低背化及び狭ピッチ化を可能とする構成としたものである。【選択図】図８
2010073512.tif 000002
【特許請求の範囲】
【請求項１】
絶縁ハウジングに形成された嵌合用開口部を通して相手方コネクタが適宜の嵌合方向に挿入される構成になされたものであって、
前記絶縁ハウジングの嵌合用開口部を形成している開口端縁部の外表面に沿って、当該絶縁ハウジングを覆う導電性シェルの開口端縁部が延在するように配置された電気コネクタにおいて、
前記絶縁ハウジング及び導電性シェルのいずれか一方の開口端縁部に、前記相手方コネクタとの嵌合方向に沿って突出する係合突起部が設けられているとともに、
前記絶縁ハウジング及び導電性シェルのいずれか他方の開口端縁部に、前記係合突起部を前記嵌合方向に挿通させる係止穴部が設けられたものであって、
前記係止穴部内に前記係合突起部が挿通されることによって前記絶縁ハウジングと導電性シェルとが、前記相手方コネクタとの嵌合方向と直交する方向に固定されていることを特徴とする電気コネクタ。
【請求項２】
前記係合突起部が、前記絶縁ハウジングの嵌合用開口部を形成している開口端縁部に形成されているとともに、
前記係止穴部が、前記導電性シェルの開口端縁部に形成されていることを特徴とする請求項１記載の電気コネクタ。
【請求項３】
前記相手方コネクタが嵌合された際に、前記導電性シェルの開口端縁部の外側表面に前記相手方コネクタの導電性シェルが接触する構成になされたものであって、
両コネクタの導電性シェルどうしが、嵌合方向と直交する方向に重なり合うように配置される構成になされていることを特徴とする請求項１記載の電気コネクタ。
【請求項４】
前記嵌合方向と直交する方向に固定された絶縁ハウジング及び導電性シェルの両開口端縁部が、前記相手方コネクタの導電性シェルと絶縁ハウジングとの間に挟み込まれるように構成されていることを特徴とする請求項３記載の電気コネクタ。
【請求項５】
前記絶縁ハウジングに形成された嵌合用開口部を通して相手方コネクタの前端突部が内部に挿入される構成になされたものであって、
前記相手方コネクタの前端突部が、前記絶縁ハウジングの内部に配置された導電コンタクトの接点部に対して嵌合方向と直交する方向に圧接することにより前記導電コンタクトが変位し、その導電コンタクトの変位に伴って、前記絶縁ハウジング及び導電性シェルの両開口端縁部が押し広げられるように付勢される構成になされていることを特徴とする請求項４記載の電気コネクタ。
【請求項６】
前記導電コンタクトは、前記接点部を自由端に備えた片持ち状をなすように取り付けられていることを特徴とする請求項５記載の電気コネクタ。
【発明の詳細な説明】
【技術分野】
【０００１】
本発明は、相手方コネクタと嵌合されることにより同軸ケーブル等の信号伝送媒体を電気接続する構成になされた電気コネクタに関する。
【背景技術】
【０００２】
一般に各種電気機器等においては、同軸ケーブル等からなる信号伝送媒体の端末部分を印刷配線基板に接続するなどの目的のために電気コネクタが広く用いられている。電気コネクタは、例えば信号伝送媒体が接続される第１コネクタと、印刷配線基板上に実装される第２コネクタとから構成されており、まず第１コネクタの後端縁部分に同軸ケーブル等の信号伝送媒体が接続され、その後に、当該第１コネクタの前端部分に設けられた嵌合用突部が、第２コネクタの嵌合用開口部に内部に向かって挿入され、それによって両コネクタどうしの嵌合が行われる構成になされている。
【０００３】
ところが、そのような両コネクタどうしを嵌合させるにあたっては、同軸ケーブル等からなる信号伝送媒体を作業者が把持して組立作業を行ってしまうことがある。そのような信号伝送媒体を介在した、いわゆる煽りの嵌合動作が行われると、第２コネクタの内部に挿入されている第１コネクタの前端部分が上下方向に移動し、それによって第２コネクタの導電コンタクトや絶縁ハウジングが上下方向に変位して、導電コンタクトの電気的な接続性が阻害されるおそれがある。また、そのような煽りの動作によって、絶縁ハウジングの嵌合用開口部が、特に長手方向の略中央部分において厚さ方向に拡大されてしまい、本来は薄型平面状に形成されていた絶縁ハウジングや導電性シェルが、アーチ状に膨らんだ形状に変形されて薄型化に反するものとなってしまうおそれがある。
【０００４】
さらに、絶縁ハウジング内に配置された導電コンタクトが、例えば片持ち状に取り付けられた構成になされている場合には、上述したように第２コネクタの内部に第１コネクタの前端突部が挿入された際に、その第１コネクタの前端突部によって第２コネクタの導電コンタクトが絶縁ハウジングの片側壁面に押し付けられるように変位させられることとなる。その結果、上述した場合と同様に、第２コネクタの導電コンタクトや絶縁ハウジングが上下方向に変形してしまい、導電コンタクトの電気的な接続性が阻害されたり、絶縁ハウジングの変形の分だけ厚さ方向の寸法が拡大して薄型化が図れなくなってしまうおそれがある。
【０００５】
このような問題は、特に、電気コネクタの全体が薄型化されることにより絶縁ハウジングの剛性が低下している場合や、信号伝送媒体の多極配列方向の長さが大きくなっている場合に、絶縁ハウジングの拡大変形として顕著に現れることとなり、電気コネクタの薄型化・低背化にとって重要な解決課題となっている。
【０００６】
一方、絶縁ハウジングを覆う導電性シェルは、絶縁ハウジングに対して圧入や嵌合により装着されている。そして、下記の引用文献に開示されている従来の電気コネクタでは、絶縁ハウジングに対する導電性シェルの固定機構が絶縁ハウジングの内部側に突出するように設けられているため、その固定機構が設けられている分だけ、絶縁ハウジングの厚さが拡大されてしまったり、絶縁ハウジング内における信号線の配置ピッチを広げざるを得なくなっている。
【０００７】
【特許文献１】特開２００７−１９３９４９号公報
【特許文献２】特開２００２−１５８１８号公報
【特許文献３】特開平５−２０５８３１号公報
【発明の開示】
【発明が解決しようとする課題】
【０００８】
そこで本発明は、簡易な構成で、相手方コネクタとの嵌合時における変形を防止して電気的な接続信頼性を向上させるとともに、薄型化又は小型化を良好に図ることができるようにした電気コネクタを提供することを目的とする。
【課題を解決するための手段】
【０００９】
上記目的を達成するため本発明では、絶縁ハウジングに形成された嵌合用開口部を通して相手方コネクタが適宜の嵌合方向に挿入される構成になされたものであって、前記絶縁ハウジングの嵌合用開口部を形成している開口端縁部の外表面に沿って、当該絶縁ハウジングを覆う導電性シェルの開口端縁部が延在するように配置された電気コネクタにおいて、前記絶縁ハウジング及び導電性シェルのいずれか一方の開口端縁部に、前記相手方コネクタとの嵌合方向に沿って突出する係合突起部が設けられているとともに、前記絶縁ハウジング及び導電性シェルのいずれか他方の開口端縁部に、前記係合突起部を前記嵌合方向に挿通させる係止穴部が設けられたものであって、前記係止穴部内に前記係合突起部が挿通されることによって前記絶縁ハウジングと導電性シェルとが、前記相手方コネクタとの嵌合方向と直交する方向に固定された構成が採用されている。
【００１０】
このような構成を有する電気コネクタによれば、絶縁ハウジング及び導電性シェルに設けられた係止穴部と係合突起部とを単に挿通させるという簡易な作業によって、それらの絶縁ハウジングと導電性シェルとが両コネクタの嵌合方向と直交する方向に固定されることとなり、同方向における剛性が大幅に高められることから、相手方コネクタとの嵌合時における絶縁ハウジング及び導電性シェルの変形が良好に防止されるようになっている。さらに、絶縁ハウジングに対する導電性シェルの固定機構が、開口端縁部に配置されていることにより絶縁ハウジングの内部に突出しなくなるため、その分、全体の低背化及び信号線の狭ピッチ化が可能となる。
【００１１】
このときの本発明における前記係合突起部は、前記絶縁ハウジングの嵌合用開口部を形成している開口端縁部に形成されているとともに、前記係止穴部が、前記導電性シェルの開口端縁部に形成された構成とすることが可能である。
【００１２】
また本発明においては、前記相手方コネクタが嵌合された際に、前記導電性シェルの開口端縁部の外側表面に前記相手方コネクタの導電性シェルが接触する構成になされたものであって、両コネクタの導電性シェルどうしが、嵌合方向と直交する方向に重なり合うように配置される構成とすることが望ましい。同様に本発明においては、前記嵌合方向と直交する方向に固定された絶縁ハウジング及び導電性シェルの両開口端縁部が、前記相手方コネクタの導電性シェルと絶縁ハウジングとの間に挟み込まれるように構成されていることが望ましい。
【００１３】
このような構成を有する電気コネクタによれば、相手方コネクタの導電性シェルによって絶縁ハウジング及び導電性シェルが嵌合方向と直交する方向に押さえ込まれることとなり、嵌合時における絶縁ハウジング及び導電性シェルの変形がさらに良好に防止されるとともに、重合された導電性シェルによって伝送信号に対するシールド性の向上が図られるようになっている。
【００１４】
また本発明は、前記絶縁ハウジングに形成された嵌合用開口部を通して相手方コネクタの前端突部が内部に挿入される構成になされたものであって、前記相手方コネクタの前端突部が、前記絶縁ハウジングの内部に配置された導電コンタクトの接点部に対して嵌合方向と直交する方向に圧接することにより前記導電コンタクトが変位し、その導電コンタクトの変位に伴って、前記絶縁ハウジング及び導電性シェルの両開口端縁部が押し広げられるように付勢される構成に好適に適用することが可能である。例えば、そのときの前記導電コンタクトは、前記接点部を自由端に備えた片持ち構造にて取り付けられていることが可能である。
【００１５】
このような構成を有する電気コネクタによれば、相手方コネクタの嵌合時に導電コンタクトが嵌合方向と直交する方向に変位する構成を備えている場合であっても、その導電コンタクトの変位に基づく絶縁ハウジング及び導電性シェルの変形が良好に防止されるようになっている。
【発明の効果】
【００１６】
以上述べたように本発明にかかる電気コネクタは、絶縁ハウジング及び導電性シェルのいずれか一方の開口端縁部に嵌合方向に突出する係合突起部を設けるとともに、絶縁ハウジング及び導電性シェルのいずれか他方の開口端縁部に、前記係合突起部を嵌合方向に挿通させる係止穴部を設け、その係止穴部内に係合突起部を挿通させるという簡易な作業によって絶縁ハウジングと導電性シェルとを嵌合方向と直交する方向に固定し、同方向における剛性を大幅に高めるとともに、絶縁ハウジングと導電性シェルとの固定機構を絶縁ハウジングの内部側に突出させないようにして低背化及び狭ピッチ化を可能とする構成としたものであるから、簡易な構成で、相手方コネクタとの嵌合時における変形を防止して電気的な接続信頼性を向上させるとともに、薄型化又は小型化を良好に図ることができ、小型・低廉で、かつ信頼性の高い電気コネクタを容易に得ることができる。
【発明を実施するための最良の形態】
【００１７】
以下、複数本の同軸ケーブルを印刷配線基板側に接続する電気コネクタに本発明を適用した場合の実施形態に関する説明を図面に基づいて詳細に行う。
【００１８】
［コネクタ組立体について］
まず、図１及び図２に表された本発明の一実施形態にかかる電気コネクタの組立体は、同軸ケーブルＳＣの端末部分が連結されたプラグコネクタ１と、図示を省略した印刷配線基板上に実装されるリセプタクルコネクタ２とからなる水平嵌合型のコネクタ組立体を構成している。すなわち、本発明でいう相手方コネクタとしてのプラグコネクタ１が、リセプタクルコネクタ２に対して略水平方向に対向配置された状態で、印刷配線基板（図２中の二点鎖線参照）の表面に沿って上記プラグコネクタ１が近接するように移動され、リセプタクルコネクタ２に設けられた嵌合用開口部に対して、上記プラグコネクタ１の前端部分に設けられた嵌合突部が図３のように差し込まれ、それら両コネクタ１，２どうしの嵌合が行われるようになっている。
【００１９】
このように本実施形態では、プラグコネクタ１を差し込む方向、及びその反対方向に抜き出す方向は、印刷配線基板の表面が延在する方向にほぼ一致しているが、以下において印刷配線基板の表面が延在する方向を水平方向とし、それに直交する方向を上下方向とする。また、プラグコネクタ１においては、当該プラグコネクタ１を相手方のリセプタクルコネクタ２に差し込む方向を前方向とし、その反対方向に抜き出す方向を後方向とする。また、相手方のリセプタクルコネクタ２においては、当該リセプタクルコネクタ２から上記プラグコネクタ１を抜き出す方向を前方向とし、その反対方向を後方向とする。
【００２０】
ここで、図４及び図５にも示されているように前記プラグコネクタ１の後方側の端縁部（以下、後端縁部という。）には、多極状に並列するように配列された複数本の同軸ケーブルＳＣの端末部分が連結されている。その同軸ケーブルＳＣの端末部分には、被覆材が皮剥きされることによってケーブル中心導体（信号線）ＳＣａ及びケーブル外部導体（シールド線）ＳＣｂが同軸状をなすように露出されており、当該同軸ケーブルＳＣの中心軸線に沿うようにして配置されたケーブル中心導体ＳＣａが、後述するプラグコネクタ１における信号伝送用の導電コンタクト（導電端子）１２に接続されることによって信号回路が構成されるようになっている。
【００２１】
また、上記ケーブル中心導体ＳＣａの外周側を取り囲むように配置されたケーブル外部導体ＳＣｂは、グランド部材を構成している上部グランドバーＧＵと下部グランドバーＧＤとの間において上下に挟持されるように配置されており、半田付けやカシメや圧接等により接続されることによりグランド回路が構成されるようになっている。これら上部グランドバーＧＵ及び下部グランドバーＧＤは、多極配列方向に沿って長尺状に延在する細長の帯板状部材から形成されており、上述した同軸ケーブルＳＣの多極配列されたケーブル外部導体（シールド線）ＳＣｂの上下各面に沿うように載置された状態で長尺状の半田材等を用いて一括接続されている。これらの両グランドバーＧＵ，ＧＤは、後述する導電性シェル等を介してグランド接続される構成になされている。
【００２２】
［絶縁ハウジングについて］
一方、前記プラグコネクタ１及びリセプタクルコネクタ２の両コネクタは、細長状の絶縁部材から形成された絶縁ハウジング１１，２１をそれぞれ備えている。それらの絶縁ハウジング１１，２１は、上述した同軸ケーブルＳＣの多極並列方向である長手方向に沿って細長状に延在する中空状筐体をなすように形成されている。そして、相手方コネクタであるプラグコネクタ１側の絶縁ハウジング１１の前端部分には、後述するように長手方向に延在する細長板状の嵌合突部１１ｂが設けられている。
【００２３】
すなわち、そのプラグコネクタ１側に設けられた絶縁ハウジング１１は、当該プラグコネクタ１の内部側に配置された本体支持部１１ａと、その本体支持部１１ａから前方外方に向かって延出する嵌合突部１１ｂとを一体的に備えている。そして、上記絶縁ハウジング１１の本体支持部１１ａの上表面には、後述する導電コンタクト１２の後方側部分、及び上述した同軸ケーブルＳＣとの接続構成部分が配置されている。
【００２４】
また、上述した絶縁ハウジング１１の前方側に突出するように設けられた嵌合突部１１ｂは、当該絶縁ハウジング１１の前端部分を構成する薄厚平板状部材からなり、両コネクタ１，２どうしを嵌合させる際に、前記リセプタクルコネクタ２に対して最初に挿入される部分となっている。そして、その嵌合突部１１ｂの前端部分には、前記両コネクタ１，２どうしの嵌合の円滑化を図るための先端ガイド表面１１ｃが設けられている。この先端ガイド表面１１ｃは、前記両コネクタ１，２どうしの嵌合時に、相手方コネクタとしてのリセプタクルコネクタ２の導電コンタクト２２に接触する略平坦面状の傾斜面から構成されている。
【００２５】
一方、図６及び図７にも示されているように、前記リセプタクルコネクタ２側の絶縁ハウジング２１の前端部分には、同じく長手方向に延在する細長状空間からなる嵌合用開口部２１ａが形成されている。この嵌合用開口部２１ａの上縁部分は、絶縁ハウジング２１の前端側端面に形成された開口端縁部２１ｂにより略水平方向に仕切られるように画設されており、両コネクタ１，２どうしの嵌合が行われる際には、上述したプラグコネクタ１側の嵌合突部１１ｂが、当該リセプタクルコネクタ２側の嵌合用開口部２１ａの内部に向かって略水平に挿入されるようになっている。
【００２６】
［導電コンタクトについて］
さらに、前記絶縁ハウジング１１，２１には、長手方向（図２の紙面垂直方向）に沿って多数の導電コンタクト（導電端子）１２，２２が適宜のピッチ間隔で多極配列されている。図２に表された各導電コンタクト１２，２２は、信号伝送用として構成されたものであるが、グランド接続用に構成することも可能である。これら複数体の導電コンタクト１２，２２の各々は、上述した多極配列方向（コネクタ長手方向）に隣接するものどうしが略同一の材質によって略同一の形状をなすように形成されており、絶縁ハウジング１１，２１に対して例えばインサート成形によって埋設されたり、圧入されたりして配置されている。
【００２７】
すなわち、上述したプラグコネクタ１側に設けられた導電コンタクト１２は、前記絶縁ハウジング１１の上表面に沿って略水平に延在するように配置されており、その延在方向の途中部位に設けられた段差部より後方側に延在する後方側延在部分が、前記絶縁ハウジング１１の本体支持部１１ａの上表面側に配置されている。この導電コンタクト１２の後方側延在部分には、前述した同軸ケーブルＳＣのケーブル中心導体（信号線）ＳＣａが上方側から載置するように当接された状態で半田接合されている。この複数体のケーブル中心導体ＳＣａと導電コンタクト１２との半田接合も一括的に行われる。
【００２８】
一方、上述した導電コンタクト１２の段差部より前方側に延在している前方側延在部分を構成している端子電極部１２ａは、前記絶縁ハウジング１１の前端部分を構成するように設けられた嵌合突部１１ｂの上表面に配置されている。これらの端子電極部１２ａは、前述した絶縁ハウジング１１の嵌合突部１１ｂの上表面に適宜のピッチをもって多極状をなすように配置されている。
【００２９】
また、その導電コンタクト１２の前方側延在部分には、上述したリセプタクルコネクタ２側に対して電気的に接触される接点凹部１２ｂが設けられている。さらに、その導電コンタクト１２の端子電極部１２ａから先端側（図５左方側）に向かう先端部分は段差状をなすように延出している。この先端段差部は、下方側に一段だけ折り曲げられて先端側に延出する形状を有しており、前述した絶縁ハウジング１１に設けられた嵌合突部１１ｂの先端部分の内部側に埋設された構成になされている。
【００３０】
一方、リセプタクルコネクタ２の絶縁ハウジング２１に装着された導電コンタクト（導電端子）２２は、その後端部分（図２の左端部分）に側面略逆Ｌ字状をなす半田接続部２２ａが設けられている。この半田接続部２２ａは、実際の使用時に前述した印刷配線基板（図２及び図３中の二点鎖線参照）上の信号導電路又はグランド導電路に載置されてから一括的に半田接合される。
【００３１】
さらに、上記導電コンタクト（導電端子）２２は、上述した後端側の半田接続部２２ａから前方に向かって片持ち状をなすように延出している。より具体的には、当該導電コンタクト２２は、前記後端側半田接続部２２ａから略垂直上方に立ち上げられており、その立ち上がり上端部から前方側（図２の右方側）に向かって片持ち状に延在している。そして、その導電コンタクト２２の前方側先端部分に、下方側に向かって逆山形状に張り出す接点凸部２２ｂが設けられている。この導電コンタクト２２に設けられた接点凸部２２ｂは、上述したプラグコネクタ１に対する当接受部を構成するように設けられたものであって、当該接点凸部２２ｂの下端側頂部は、前述したようにプラグコネクタ１がリセプタクルコネクタ２に嵌合されたときに、プラグコネクタ１側の導電コンタクト１２に設けられた接点凹部１２ｂに対してバネ弾性的に接触されるように構成されている。このような接触関係によって前記両接点部１２ｂ，２２ｂどうしの電気的な接続が行われるようになっている。
【００３２】
［導電性シェルについて］
一方、前記プラグコネクタ１及びリセプタクルコネクタ２の各絶縁ハウジング１１，２１における外表面のうちの上下両表面は、薄板状金属部材からなる導電性シェル１４及び２４によりそれぞれ覆われている。これらの導電性シェル１４，２４は、薄板状金属部材を適宜の形状に折曲形成したものであって、各コネクタに伝送信号に対するシールド性を持たせるとともに、グランド回路の一部を構成するように装着されている。このグランド回路を構成する導電性シェル１４及び２４は、前記両コネクタ１，２どうしを嵌合させる際において最初に電気的な接続が行われる部分である。
【００３３】
相手側コネクタとしてのプラグコネクタ１側に設けられた導電性シェル１４は、前述した同軸ケーブルＳＣに対して両グランドバー（グランド部材）ＧＵ，ＧＤが半田接合された後に、前記絶縁ハウジング１１に対して上下両側から被せるようにして装着されているが、本実施形態における導電性シェル１４の下半側部分は、インサート成形により絶縁ハウジング１１と一体的に成形されている。この導電性シェル１４の上面側には、多極配列方向であるコネクタ長手方向に沿って複数体のグランド接続舌片１４ａが切欠き形成されている。それらの各グランド接続舌片１４ａは、片持ちの板バネ状をなして斜め下方側に延在するように切り起こされており、前述した上部グランドバーＧＵの上面側に対して半田接合又は弾性接触されている。
【００３４】
また、前記導電性シェル１４の上面側における後端縁部分（図５の右端部分）には、押圧突起部１４ｂが内部側に向かって折り曲げるように形成されており、上述したようにして導電性シェル１４の装着が行われたときに、当該押圧突起部１４ｂが同軸ケーブルＳＣの絶縁被膜に対して上方側から押圧接触されるようになっている。
【００３５】
さらに、前記導電性シェル１４の上面側における前端縁部分（図５の左端部分）には、庇状をなすように形成された押付圧板１４ｃが設けられている。この押付圧板１４ｃは、上述した絶縁ハウジング１１の前端側の開口端縁から前方側（図５の左方側）に向かって適宜の寸法だけ略水平に突出するように構成されていて、後述するように当該導電性シェル１４の押付圧板１４ｃが、リセプタクルコネクタ２の嵌合用開口部の外表面側に接触するように装着される構成になされている。
【００３６】
これに対して、前記リセプタクルコネクタ２に設けられた導電性シェル２４には、コネクタ長手方向の両端部分及び前後両端部分の各々に、外方側に向かって突出するように折り曲げ形成されたホールドダウン２４ａがそれぞれ設けられている。それらの各ホールドダウン２４ａは、前記印刷配線基板（図示省略）上に形成されたグランド導電路（図示省略）に対して半田接合され、それによってグランド回路の電気的な接続が行われるとともに、リセプタクルコネクタ２の全体が強固に固定されるようになっている。
【００３７】
この導電性シェル２４の上面側における前端縁部分（図７の左端部分）は、前述した絶縁ハウジング２１の嵌合用開口部２１ａを形成している開口端縁部２１ｂの外表面に沿って延在するように配置されている。すなわち、その導電性シェル２４の前端側部分にも、上述した絶縁ハウジング２１と同様な嵌合用開口部２１ａの上縁部分を略水平方向に仕切るように画設する開口端縁部２４ｂが設けられており、その導電性シェル２４側の開口端縁部２４ｂが、前記絶縁ハウジング２１側の開口端縁部２１ｂを外方側から覆うように配置されている。これら両開口端縁部２１ｂ，２４ａは、両コネクタ１，２の嵌合方向である前後方向（水平方向）において略一致した位置に配置されている。
【００３８】
そして、前記絶縁ハウジング２１側の開口端縁部２１ｂには、図８にも示されているように相手方コネクタであるプラグコネクタ１との嵌合方向（水平方向）の前方側（図７の左方側）に向かって突出する係合突起部２１ｃが設けられている。また、前記導電性シェル２４側の開口端縁部２４ｂには、上述した絶縁ハウジング２１側の係合突起部２１ｃを嵌合方向（水平方向）に挿通させる係止穴部２４ｃが設けられている。これら絶縁ハウジング２１側の係合突起部２１ｃと、導電性シェル２４側の係止穴部２４ｃとを一組とする固定機構は、リセプタクルコネクタ２の長手方向に適宜の間隔をなして複数箇所にわたって配置されている。
【００３９】
より具体的な形状を説明すると、上述した絶縁ハウジング２１側に設けられた係合突起部２１ｃは、平板状の小片突起形状になされているとともに、導電性シェル２４側に設けられた係止穴部２４ｃは、当該導電性シェル２４の開口端縁部２４ｂを下方に向かって略直角に折り曲げて形成された湾曲状台座部２４ｄを水平方向に貫通するようにして形成されている。そして、絶縁ハウジング２１に対して導電性シェル２４が装着される際に、前記係止穴部２４ｃの内部に前記係合突起部２１ｃが挿通されるようになっている。
【００４０】
ここで、上述したリセプタクルコネクタ２の導電コンタクト２２は、前記絶縁ハウジング２１の内壁面（図７の上壁面）に凹設された収納取付溝２１ｆに沿って装着されているが、その収納取付溝２１ｆの上部側の位置に前記係合突起部２１ｃの各々が配置されている。このような位置関係としておけば、例えば導電コンタクト２２が狭ピッチで配列されている場合であっても、それに影響されることなく係合突起部２１ｃを任意の位置に配置することができる。また、前記係止穴部２４ｃを設けられている湾曲状台座部２４ｄは、前述したように前端部分が下方に向かって折れ曲がるように延出する形状になされているが、その湾曲状台座部２４ｄが延出している下端縁部分は、前記嵌合用開口部２１ａの内部領域まで垂れ下がることのないように短縮されている。そのため、嵌合用開口部２１ａを高さ方向（上下方向）に短縮化してコネクタ全体の低背化を図る際に、上記湾曲状台座部２４ｄの影響をなくすことができる。
【００４１】
また、上述したようにして係止穴部２４ｃの内部に係合突起部２１ｃが挿通された状態においては、それら係合突起部２１ｃと係止穴部２４ｃとが前記両コネクタ１，２の嵌合方向と直交する上下方向に関して互いに当接する関係となり、同方向（上下方向）に良好な固定力が得られるようになっている。そして、そのような係合突起部２１ｃと係止穴部２４ｃとからなる固定機構による固定作用によって、前記絶縁ハウジング２１と導電性シェル２４とが、両コネクタ１，２の嵌合方向と直交する上下方向において良好に固定された状態に維持される構成になされている。
【００４２】
ここで、上述した導電性シェル２４の開口端縁部２４ｂは、段差状をなして一段下降した状態で延在する折り曲げ段差形状をなすように形成されており、当該導電性シェル２４の段差下降部分に対して、前述した相手側コネクタとしてのプラグコネクタ１側の導電性シェル１４の前端縁部分（図５の左端部分）に設けられた押付圧板１４ｃが上方側から接触するようにして嵌合される構成になされている。すなわち、両コネクタ１，２どうしを嵌合した状態では、プラグコネクタ１側の導電性シェル１４の内側表面が、リセプタクルコネクタ２側の導電性シェル２４の外側表面に接触する配置関係になされており、そのような嵌合状態において、両コネクタ１，２の導電性シェル１４，２４どうしが嵌合方向と直交する上下方向に重なり合うように配置される構成になされている。
【００４３】
また、上述したように両コネクタ１，２の導電性シェル１４，２４どうしが嵌合方向と直交する上下方向に重なり合った状態においては、プラグコネクタ１側の導電性シェル１４に設けられた押付圧板１４ｃと、同じくプラグコネクタ１側の絶縁ハウジング１１に設けられた嵌合突部１１ｂとの間に、リセプタクルコネクタ２側の導電コンタクト２２を介して、上述したように固定された絶縁ハウジング２１及び導電性シェル２４が挟み込まれる構成になされている。
【００４４】
すなわち、前記リセプタクルコネクタ２の絶縁ハウジング２１の内部に相手方コネクタとしてのプラグコネクタ１の嵌合突部１１ｂが挿入された際には、前述したようにプラグコネクタ１側の嵌合突部１１ｂがリセプタクルコネクタ２側の導電コンタクト２２に対し下方側から上方側に向かって圧接され、それによって前記導電コンタクト２２が上方に持ち上げられるように変位される。そして、その導電コンタクト２２の上方変位に伴って、前記絶縁ハウジング２１及び導電性シェル２４の両開口端縁部２１ｂ，２４ｂが、特に長手方向の中央部分で上方に押し広げられるように付勢されることとなる。しかしながら本実施形態では、上述したようにリセプタクルコネクタ２側の絶縁ハウジング２１及び導電性シェル２４が、プラグコネクタ１側の嵌合突部１１ｂと導電性シェル１４の押付圧板１４ｃとの間に挟み込まれた構成になされている。特に、プラグコネクタ１側の押付圧板１４ｃによって、リセプタクルコネクタ２側の絶縁ハウジング２１及び導電性シェル２４が下方に押し付けられていることから、それらリセプタクルコネクタ２側の絶縁ハウジング２１及び導電性シェル２４における両開口端縁部２１ｂ，２４ｂの上方向拡大や膨出が良好に防止されるようになっている。
【００４５】
一方、本実施形態にかかるリセプタクルコネクタ２の導電性シェル２４と絶縁ハウジング２１とは、特に図９に示されているような固定機構によって、両コネクタ１，２の嵌合方向である前後方向（水平方向）における固定力を得るようにしている。すなわち、同図に示されているように、導電性シェル２４の長手方向の両端部分には、絶縁ハウジング２１を前後方向（水平方向）に固定するための一対の嵌合フック部２４ｅ，２４ｆが設けられている。それら導電性シェル２４に設けられた一対の嵌合フック部２４ｅ，２４ｆは、絶縁ハウジング２１側に設けられた両嵌合係止部２１ｄ，２１ｅに対して前後方向（水平方向）に当接するように嵌合され、リセプタクルコネクタ２の導電性シェル２４と絶縁ハウジング２１とを、両コネクタ１，２の嵌合方向に係止させる構成になされている。
【００４６】
またこのとき、相手方コネクタとしてのプラグコネクタ１は、前述したようにリセプタクルコネクタ２が実装された印刷配線基板（図示二点鎖線参照）の表面上に沿って嵌合される構成になされているが、当該プラグコネクタ１に装着された導電性シェル１４の底面側後端部分には、前記印刷配線基板の表面上に対して滑動可能に接触する後方支持部１４ｄが複数箇所にわたって設けられている。この後方支持部１４ｄは、プラグコネクタ１の後端部分を当該後方支持部１４ｄの高さ分だけ上方に持ち上げる機能を有している。
【００４７】
すなわち、上述したようにリセプタクルコネクタ２の導電コンタクト２２の接点凸部２２ｂの下方側に対向する導電性シェル１４の内部側底面上に、前記プラグコネクタ１の嵌合突部１１ｂの下面が接触した際に、印刷配線基板の表面上に対して後方支持部１４ｄが滑動可能に接触することによって、プラグコネクタ１の全体が、印刷配線基板の表面に沿って略水平に維持される構成になされている。本実施形態にかかる後方支持部１４ｄは、前記導電性シェル１４の長手方向における両端部分及び中央部分にそれぞれ２個ずつ計４個のものが配置されており、例えば当該導電性シェル１４を構成している金属板を上方側から反対側の下方側に向かって窪ますことによって底面部から凸状をなすようにした、いわゆるディンプル形状として形成することが可能である。
【００４８】
このような構成を有する本実施形態によれば、リセプタクルコネクタ２の導電性シェル２４側に設けられた係止穴部２４ｃ内に、絶縁ハウジング２１側に設けられた係合突起部２１ｃを挿通させるという簡易な作業を行うだけで、絶縁ハウジング２１と導電性シェル２４とが両コネクタ１，２の嵌合方向と直交する上下方向に固定されることとなり、リセプタクルコネクタ２の嵌合開口部における上下方向の剛性が大幅に高められ、両コネクタ１，２の嵌合時におけるリセプタクルコネクタ２の絶縁ハウジング２１及び導電性シェル２４の変形が良好に防止されるようになっている。
【００４９】
さらに、絶縁ハウジング２１と導電性シェル２４との固定機構である係合突起部２１ｃ及び係止穴部２４ｃは、開口端縁部２１ｂ，２４ｂにそれぞれ配置されていて、絶縁ハウジング２１の内部に突出することがない分だけ、全体の低背化及び信号線の狭ピッチ化が可能となっている。
【００５０】
また、上述した実施形態によれば、相手方コネクタとしてのプラグコネクタ１の導電性シェル１４に設けられた押付圧板１４ｃによってリセプタクルコネクタ２の絶縁ハウジング２１及び導電性シェル２４が嵌合方向と直交する下方向に押さえ込まれることとなり、嵌合時におけるリセプタクルコネクタ２の変形がさらに良好に防止されるようになっている。また、このときに前記両コネクタ１，２の導電性シェル１４，２４の前端部分どうしが上下方向に重なり合うように配置される構成になされていることから、それら導電性シェル１４，２４によって、伝送信号に対するシールド性の向上が図られるようになっている。
【００５１】
ここで、特にさらに本実施形態においては、両コネクタ１，２どうしの嵌合時におけるリセプタクルコネクタ２の導電コンタクト２２の上方向変位に伴って、絶縁ハウジング２１及び導電性シェル２４が嵌合方向と直交する上方向に拡大変形されようとする傾向を生じる構成になされているが、本実施形態にかかる構成によれば、上述したようにプラグコネクタ１の導電性シェル１４に設けられた押付圧板１４ｃによってリセプタクルコネクタ２の絶縁ハウジング２１及び導電性シェル２４が下方側に押さえ込まれる。従って、導電コンタクト２１の上方向変位に対抗して、両コネクタ１，２どうしの嵌合時における変形が良好に防止されるようになっている。
【００５２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５３】
例えば、上述した実施形態では、絶縁ハウジング２１側の開口端縁部２１ｂに係合突起部２１ｃを設けるとともに、導電性シェル２４側の開口端縁部２４ｂに係止穴部２４ｃを設けているが、係合突起部と係止穴部とを逆の部材に設けるように構成することも可能である。
【００５４】
また上述した実施形態は、水平嵌合型の電気コネクタに本実施形態を適用したものであるが、垂直嵌合型の電気コネクタに対しても同様に適用することができる。
【００５５】
さらに本発明は、上述した実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【００５６】
また、上述した実施形態では、絶縁ハウジング２１側の開口端縁部２１ｂに、部分的に係合突起部２１ｃを設けるとともに、導電性シェル２４側の開口端縁部２４ｂに、部分的に係止穴部２４ｃを設けているが、各開口端縁部２１ｂ、２４ｂの全体にわたって係合突部２１ｃ及び係止穴部２４ｃを設けるようにしてもよい。
【産業上の利用可能性】
【００５７】
以上のように本実施形態は、各種電気機器に使用される多種多様な電気コネクタに対して広く適用することが可能である。
【図面の簡単な説明】
【００５８】
【図１】本発明の一実施形態におけるリセプタクルコネクタに対して相手方プラグコネクタを嵌合したコネクタ組立体の外観斜視説明図である。
【図２】図１中のII−II線に沿った横断面説明図である。
【図３】図１に示されたコネクタ組立体の嵌合途中の状態を表した図２相当の横断面説明図である。
【図４】図１に示されたコネクタ組立体のうちのプラグコネクタを単独で表した外観斜視説明図である。
【図５】図４中のV−V線に沿った横断面説明図である。
【図６】図１に示されたコネクタ組立体のうちのリセプタクルコネクタを単独で表した外観斜視説明図である。
【図７】図６中のVII−VII線に沿った横断面説明図である。
【図８】図１〜図７に表されたリセプタクルコネクタにおける本発明の要部である前端側の開口端縁部を拡大して表した外観斜視説明図である。
【図９】図１〜図７に表されたリセプタクルコネクタの両端部分における絶縁ハウジングと導電性シェルとの取付関係を上下反転して表した底面側からの模式的外観斜視説明図である。
【符号の説明】
【００５９】
１  プラグコネクタ
１１  絶縁ハウジング
１１ａ  本体支持部
１１ｂ  嵌合突部
１１ｃ  先端ガイド表面
１２  導電コンタクト（導電端子）
１２ａ  端子電極部
１２ｂ  接点凹部
１４  導電性シェル
１４ａ  グランド接続舌片
１４ｂ  押圧突起部
１４ｃ  押付圧板
１４ｄ  後方支持部
２  リセプタクルコネクタ
２１  絶縁ハウジング
２１ａ  嵌合用開口部
２１ｂ  開口端縁部
２１ｃ  係合突起部
２１ｄ，２１ｅ  嵌合係止部
２１ｆ  収納取付溝
２２  導電コンタクト（導電端子）
２２ａ  半田接続部
２２ｂ  接点凸部
２４  導電性シェル
２４ａ  ホールドダウン
２４ｂ  開口端縁部
２４ｃ  係止穴部
２４ｄ  湾曲状台座部
２４ｅ，２４ｆ  嵌合フック部
ＳＣ  同軸ケーブル
ＳＣａ  ケーブル中心導体（信号線）
ＳＣｂ  ケーブル外部導体（シールド線）
ＧＵ  上部グランドバー
ＧＤ  下部グランドバー
【図１】
2010073512.tif 000003
【図２】
2010073512.tif 000004
【図３】
2010073512.tif 000005
【図４】
2010073512.tif 000006
【図５】
2010073512.tif 000007
【図６】
2010073512.tif 000008
【図７】
2010073512.tif 000009
【図８】
2010073512.tif 000010
【図９】
2010073512.tif 000011